(57)【要約】【課題】コメントを見た者が商品又はサービスの購入状況を把握できるようなコメントの投稿を支援することが可能なコメント投稿支援システムを提供すること。【解決手段】購入状況情報取得手段（６１）は、対象期間内に複数の購入者が購入した商品又はサービスの単価を対象期間内に複数の購入者が購入した商品又はサービスの総数に基づいて決定する販売方法で販売される商品又はサービスの購入状況に関する購入状況情報を取得する。コメント情報生成手段（６２）は商品又はサービスの購入状況に関するコメント情報を生成し、送信手段（６３）は、コミュニケーションサービス装置にアクセスするためのリンク情報とコメント情報とをユーザの端末に送信する。リンク情報とコメント情報とは、商品又はサービスの購入状況に関するコメントがコメント入力欄に自動入力される投稿画面データをユーザの端末がコミュニケーションサービス装置に要求するために用いられる。【選択図】図７
2012093806.tif 000002
【特許請求の範囲】
【請求項１】
投稿者によって投稿されたコメントを他者に公開するコミュニケーションサービスにおけるコメントの投稿を支援するためのコメント投稿支援装置と、
前記コメント投稿支援装置と通信可能に接続されるユーザの端末と、
を含むコメント投稿支援システムにおいて、
対象期間内に複数の購入者が購入した商品又はサービスの単価を前記対象期間内に前記複数の購入者が購入した前記商品又は前記サービスの総数に基づいて決定する販売方法で販売される前記商品又は前記サービスの購入状況に関する情報を記憶する記憶手段を含み、
前記コメント投稿支援装置は、
前記記憶手段の記憶内容に基づいて、前記商品又は前記サービスの購入状況に関する購入状況情報を取得する購入状況情報取得手段と、
前記購入状況情報に基づいて、前記商品又は前記サービスの購入状況に関するコメントを示すコメント情報を生成するコメント情報生成手段と、
前記コミュニケーションサービスを提供するためのコミュニケーションサービス装置にアクセスするためのリンク情報と、前記コメント情報と、を前記ユーザの端末に送信する送信手段と、を含み、
前記ユーザの端末は、
コメントを投稿するための投稿画面を表示するためのデータであって、かつ、前記商品又は前記サービスの購入状況に関する前記コメントが前記投稿画面のコメント入力欄に自動入力されるようなデータである投稿画面データを、前記リンク情報と前記コメント情報とに基づいて、前記コミュニケーションサービス装置に要求する手段と、
前記コミュニケーションサービス装置から送信される前記投稿画面データに基づいて前記投稿画面を表示部に表示させる手段と、を含み、
前記表示部に表示される前記投稿画面の前記コメント入力欄には、前記商品又は前記サービスの購入状況に関する前記コメントが自動入力される、
ことを特徴とするコメント投稿支援システム。
【請求項２】
請求項１に記載のコメント投稿支援システムにおいて、
前記送信手段は、前記商品又は前記サービスに関する情報が掲載される商品／サービス画面を表示するためのデータであって、かつ、前記リンク情報と前記コメント情報とを含んでなるデータである商品／サービス画面データを前記ユーザの端末に送信し、
前記ユーザの端末は、
前記商品／サービス画面データに基づいて、前記商品／サービス画面を前記表示部に表示させる手段と、
前記商品／サービス画面において所定の操作が行われた場合に、前記投稿画面データを前記リンク情報と前記コメント情報とに基づいて前記コミュニケーションサービス装置に要求する手段と、を含む、
ことを特徴とするコメント投稿支援システム。
【請求項３】
請求項１に記載のコメント投稿支援システムにおいて、
前記コメント投稿支援装置は、
前記商品又は前記サービスに関する情報が掲載される商品／サービス画面を表示するため商品／サービス画面データを生成する手段と、
前記商品／サービス画面データを前記ユーザの端末に送信する手段と、を含み、
前記ユーザの端末は、
前記商品／サービス画面データに基づいて、前記商品／サービス画面を前記表示部に表示させる手段と、
前記商品／サービス画面において所定の操作が行われた場合に前記リンク情報と前記コメント情報とを前記コメント投稿支援装置に要求する手段と、を含み、
前記送信手段は、前記ユーザの端末から要求された場合に前記リンク情報と前記コメント情報とを前記ユーザの端末に送信し、
前記ユーザの端末は、前記リンク情報と前記コメント情報とを受信した場合、前記投稿画面データを前記リンク情報と前記コメント情報とに基づいて前記コミュニケーションサービス装置に要求する手段を含む、
ことを特徴とするコメント投稿支援システム。
【請求項４】
請求項１乃至３のいずれかに記載のコメント投稿支援システムにおいて、
前記購入状況情報取得手段は、前記対象期間に関する情報と、前記商品又は前記サービスの購入数に関する情報と、の少なくとも一方に関する情報を前記購入状況情報として取得することを特徴とするコメント投稿支援システム。
【請求項５】
請求項１乃至４のいずれかに記載のコメント投稿支援システムにおいて、
前記商品又は前記サービスの購入状況が所定の状況になったか否かを判定する手段と、
前記商品又は前記サービスの購入状況が前記所定の状況になったと判定された場合、前記商品又は前記サービスの購入状況に関するコメントを前記コミュニケーションサービスにおいて投稿する手段と、
を含むことを特徴とするコメント投稿支援システム。
【請求項６】
ユーザの端末と通信可能に接続され、
投稿者によって投稿されたコメントを他者に公開するコミュニケーションサービスにおけるコメントの投稿を支援するためのコメント投稿支援装置において、
対象期間内に複数の購入者が購入した商品又はサービスの単価を前記対象期間内に前記複数の購入者が購入した前記商品又は前記サービスの総数に基づいて決定する販売方法で販売される前記商品又は前記サービスの購入状況に関する情報を記憶してなる記憶手段の記憶内容に基づいて、前記商品又は前記サービスの購入状況に関する購入状況情報を取得する購入状況情報取得手段と、
前記購入状況情報に基づいて、前記商品又は前記サービスの購入状況に関するコメントを示すコメント情報を生成するコメント情報生成手段と、
前記コミュニケーションサービスを提供するためのコミュニケーションサービス装置にアクセスするためのリンク情報と、前記コメント情報と、を前記ユーザの端末に送信する送信手段と、を含み、
前記リンク情報と前記コメント情報とは、前記ユーザの端末が、コメントを投稿するための投稿画面を表示するためのデータであって、かつ、前記商品又は前記サービスの購入状況に関する前記コメントが前記投稿画面のコメント入力欄に自動入力されるようなデータである投稿画面データを前記コミュニケーションサービス装置に要求するために用いられることを特徴とするコメント投稿支援装置。
【請求項７】
投稿者によって投稿されたコメントを他者に公開するコミュニケーションサービスにおけるコメントの投稿を支援するためのコメント投稿支援装置の制御方法において、
対象期間内に複数の購入者が購入した商品又はサービスの単価を前記対象期間内に前記複数の購入者が購入した前記商品又は前記サービスの総数に基づいて決定する販売方法で販売される前記商品又は前記サービスの購入状況に関する情報を記憶してなる記憶手段の記憶内容に基づいて、前記商品又は前記サービスの購入状況に関する購入状況情報を取得する購入状況情報取得ステップと、
前記購入状況情報に基づいて、前記商品又は前記サービスの購入状況に関するコメントを示すコメント情報を生成するコメント情報生成ステップと、
前記コミュニケーションサービスを提供するためのコミュニケーションサービス装置にアクセスするためのリンク情報と、前記コメント情報と、を前記ユーザの端末に送信する送信ステップと、を含み、
前記リンク情報と前記コメント情報とは、前記ユーザの端末が、コメントを投稿するための投稿画面を表示するためのデータであって、かつ、前記商品又は前記サービスの購入状況に関する前記コメントが前記投稿画面のコメント入力欄に自動入力されるようなデータである投稿画面データを前記コミュニケーションサービス装置に要求するために用いられることを特徴とするコメント投稿支援方法。
【請求項８】
ユーザの端末と通信可能に接続されるコンピュータを、投稿者によって投稿されたコメントを他者に公開するコミュニケーションサービスにおけるコメントの投稿を支援するためのコメント投稿支援装置として機能させるためのプログラムであって、
対象期間内に複数の購入者が購入した商品又はサービスの単価を前記対象期間内に前記複数の購入者が購入した前記商品又は前記サービスの総数に基づいて決定する販売方法で販売される前記商品又は前記サービスの購入状況に関する情報を記憶してなる記憶手段の記憶内容に基づいて、前記商品又は前記サービスの購入状況に関する購入状況情報を取得する購入状況情報取得手段、
前記購入状況情報に基づいて、前記商品又は前記サービスの購入状況に関するコメントを示すコメント情報を生成するコメント情報生成手段、及び、
前記コミュニケーションサービスを提供するためのコミュニケーションサービス装置にアクセスするためのリンク情報と、前記コメント情報と、を前記ユーザの端末に送信する送信手段、
として前記コンピュータを機能させ、
前記リンク情報と前記コメント情報とは、前記ユーザの端末が、コメントを投稿するための投稿画面を表示するためのデータであって、かつ、前記商品又は前記サービスの購入状況に関する前記コメントが前記投稿画面のコメント入力欄に自動入力されるようなデータである投稿画面データを前記コミュニケーションサービス装置に要求するために用いられることを特徴とするプログラム。
【請求項９】
投稿者によって投稿されたコメントを他者に公開するコミュニケーションサービスにおけるコメントの投稿を支援するためのコメント投稿支援装置と、
前記コメント投稿支援装置と通信可能に接続されるユーザの端末と、
を含むコメント投稿支援システムにおいて、
対象期間内に複数の購入者が購入した商品又はサービスの単価を前記対象期間内に前記複数の購入者が購入した前記商品又は前記サービスの総数に基づいて決定する販売方法で販売される前記商品又は前記サービスの購入状況に関する情報を記憶する記憶手段を含み、
前記コメント投稿支援装置は、
前記記憶手段の記憶内容に基づいて、前記商品又は前記サービスの購入状況に関する購入状況情報を取得する購入状況情報取得手段と、
前記コミュニケーションサービスを提供するためのコミュニケーションサービス装置にアクセスするためのリンク情報と、前記購入状況情報と、を前記ユーザの端末に送信する送信手段と、を含み、
前記ユーザの端末は、
前記購入状況情報に基づいて、前記商品又は前記サービスの購入状況に関するコメントを示すコメント情報を生成するコメント情報生成手段と、
コメントを投稿するための投稿画面を表示するためのデータであって、かつ、前記商品又は前記サービスの購入状況に関する前記コメントが前記投稿画面のコメント入力欄に自動入力されるようなデータである投稿画面データを、前記リンク情報と前記コメント情報とに基づいて、前記コミュニケーションサービス装置に要求する手段と、
前記コミュニケーションサービス装置から送信される前記投稿画面データに基づいて前記投稿画面を表示部に表示させる手段と、を含み、
前記表示部に表示される前記投稿画面の前記コメント入力欄には、前記商品又は前記サービスの購入状況に関する前記コメントが自動入力される、
ことを特徴とするコメント投稿支援システム。
【請求項１０】
ユーザの端末と通信可能に接続され、
投稿者によって投稿されたコメントを他者に公開するコミュニケーションサービスにおけるコメントの投稿を支援するためのコメント投稿支援装置において、
対象期間内に複数の購入者が購入した商品又はサービスの単価を前記対象期間内に前記複数の購入者が購入した前記商品又は前記サービスの総数に基づいて決定する販売方法で販売される前記商品又は前記サービスの購入状況に関する情報を記憶してなる記憶手段の記憶内容に基づいて、前記商品又は前記サービスの購入状況に関する購入状況情報を取得する購入状況情報取得手段と、
前記コミュニケーションサービスを提供するためのコミュニケーションサービス装置にアクセスするためのリンク情報と、前記購入状況情報と、を前記ユーザの端末に送信する送信手段と、を含み、
前記購入状況情報は、前記ユーザの端末が、前記商品又は前記サービスの購入状況に関するコメントを示すコメント情報を生成するために用いられ、
前記リンク情報と前記コメント情報とは、前記ユーザの端末が、コメントを投稿するための投稿画面を表示するためのデータであって、かつ、前記商品又は前記サービスの購入状況に関する前記コメントが前記投稿画面のコメント入力欄に自動入力されるようなデータである投稿画面データを前記コミュニケーションサービス装置に要求するために用いられる、
ことを特徴とするコメント投稿支援装置。
【請求項１１】
投稿者によって投稿されたコメントを他者に公開するコミュニケーションサービスにおけるコメントの投稿を支援するためのコメント投稿支援装置の制御方法において、
対象期間内に複数の購入者が購入した商品又はサービスの単価を前記対象期間内に前記複数の購入者が購入した前記商品又は前記サービスの総数に基づいて決定する販売方法で販売される前記商品又は前記サービスの購入状況に関する情報を記憶してなる記憶手段の記憶内容に基づいて、前記商品又は前記サービスの購入状況に関する購入状況情報を取得する購入状況情報取得ステップと、
前記コミュニケーションサービスを提供するためのコミュニケーションサービス装置にアクセスするためのリンク情報と、前記購入状況情報と、を前記ユーザの端末に送信する送信ステップと、を含み、
前記購入状況情報は、前記ユーザの端末が、前記商品又は前記サービスの購入状況に関するコメントを示すコメント情報を生成するために用いられ、
前記リンク情報と前記コメント情報とは、前記ユーザの端末が、コメントを投稿するための投稿画面を表示するためのデータであって、かつ、前記商品又は前記サービスの購入状況に関する前記コメントが前記投稿画面のコメント入力欄に自動入力されるようなデータである投稿画面データを前記コミュニケーションサービス装置に要求するために用いられる、
ことを特徴とするコメント投稿支援方法。
【請求項１２】
ユーザの端末と通信可能に接続されるコンピュータを、投稿者によって投稿されたコメントを他者に公開するコミュニケーションサービスにおけるコメントの投稿を支援するためのコメント投稿支援装置として機能させるためのプログラムであって、
対象期間内に複数の購入者が購入した商品又はサービスの単価を前記対象期間内に前記複数の購入者が購入した前記商品又は前記サービスの総数に基づいて決定する販売方法で販売される前記商品又は前記サービスの購入状況に関する情報を記憶してなる記憶手段の記憶内容に基づいて、前記商品又は前記サービスの購入状況に関する購入状況情報を取得する購入状況情報取得手段、及び、
前記コミュニケーションサービスを提供するためのコミュニケーションサービス装置にアクセスするためのリンク情報と、前記購入状況情報と、を前記ユーザの端末に送信する送信手段、
として前記コンピュータを機能させ、
前記購入状況情報は、前記ユーザの端末が、前記商品又は前記サービスの購入状況に関するコメントを示すコメント情報を生成するために用いられ、
前記リンク情報と前記コメント情報とは、前記ユーザの端末が、コメントを投稿するための投稿画面を表示するためのデータであって、かつ、前記商品又は前記サービスの購入状況に関する前記コメントが前記投稿画面のコメント入力欄に自動入力されるようなデータである投稿画面データを前記コミュニケーションサービス装置に要求するために用いられる、
ことを特徴とするプログラム。
【発明の詳細な説明】
【技術分野】
【０００１】
本発明はコメント投稿支援システム、コメント投稿支援装置、コメント投稿装置の支援方法、及びプログラムに関する。
【背景技術】
【０００２】
ユーザが通信ネットワークを介して商品又はサービスを購入可能な電子商取引システムが知られている。このような電子商取引システムでは商品又はサービスを共同購入できるようになっている場合がある（例えば特許文献１）。共同購入では、対象期間内における商品の購入数に応じて該期間内に購入された商品の単価が決定される。商品の購入数が多いほど（商品の購入者が多いほど）、商品の単価が下がる。
【０００３】
また、電子商取引システムでは、ユーザに商品に関するコメントを例えばＴｗｉｔｔｅｒ（登録商標）サービス等のコミュニケーションサービスにおいて投稿してもらうべく、商品画面にコミュニケーションサービスへのリンクを設けている場合がある。このような電子商取引システムでは、ユーザがリンクをクリックした場合に、コメントを投稿するための投稿画面を表示し、かつ、その投稿画面に定型文を初期表示するようになっている場合がある。
【先行技術文献】
【特許文献】
【０００４】
【特許文献１】特開２００７−１１５０４７号公報
【発明の概要】
【発明が解決しようとする課題】
【０００５】
上記のようなコメント投稿機能は、ユーザが商品又はサービスの共同購入を他のユーザに促す場合に用いられることが想定される。しかしながら、共同購入では商品又はサービスの購入状況（例えば価格や購入可能な残り時間）が変化するにもかかわらず、従来の電子商取引システムでは投稿画面に定型文を初期表示するのみであったため、そのコメントを見た者が商品又はサービスの購入状況を把握できない場合があった。その結果、ユーザが商品又はサービスの共同購入を他のユーザに促す機能として十分でない場合があった。
【０００６】
本発明は上記課題に鑑みてなされたものであって、その目的は、例えば、コメントを見た者が商品又はサービスの購入状況を把握できるようなコメントの投稿を支援することが可能なコメント投稿支援システム、コメント投稿支援装置、コメント投稿支援方法、及びプログラムを提供することにある。
【課題を解決するための手段】
【０００７】
上記課題を解決するために、本発明に係るコメント投稿支援システムは、投稿者によって投稿されたコメントを他者に公開するコミュニケーションサービスにおけるコメントの投稿を支援するためのコメント投稿支援装置と、前記コメント投稿支援装置と通信可能に接続されるユーザの端末と、を含むコメント投稿支援システムにおいて、対象期間内に複数の購入者が購入した商品又はサービスの単価を前記対象期間内に前記複数の購入者が購入した前記商品又は前記サービスの総数に基づいて決定する販売方法で販売される前記商品又は前記サービスの購入状況に関する情報を記憶する記憶手段を含み、前記コメント投稿支援装置は、前記記憶手段の記憶内容に基づいて、前記商品又は前記サービスの購入状況に関する購入状況情報を取得する購入状況情報取得手段と、前記購入状況情報に基づいて、前記商品又は前記サービスの購入状況に関するコメントを示すコメント情報を生成するコメント情報生成手段と、前記コミュニケーションサービスを提供するためのコミュニケーションサービス装置にアクセスするためのリンク情報と、前記コメント情報と、を前記ユーザの端末に送信する送信手段と、を含み、前記ユーザの端末は、コメントを投稿するための投稿画面を表示するためのデータであって、かつ、前記商品又は前記サービスの購入状況に関する前記コメントが前記投稿画面のコメント入力欄に自動入力されるようなデータである投稿画面データを、前記リンク情報と前記コメント情報とに基づいて、前記コミュニケーションサービス装置に要求する手段と、前記コミュニケーションサービス装置から送信される前記投稿画面データに基づいて前記投稿画面を表示部に表示させる手段と、を含み、前記表示部に表示される前記投稿画面の前記コメント入力欄には、前記商品又は前記サービスの購入状況に関する前記コメントが自動入力されることを特徴とする。
【０００８】
また、本発明に係るコメント投稿支援装置は、ユーザの端末と通信可能に接続され、投稿者によって投稿されたコメントを他者に公開するコミュニケーションサービスにおけるコメントの投稿を支援するためのコメント投稿支援装置において、対象期間内に複数の購入者が購入した商品又はサービスの単価を前記対象期間内に前記複数の購入者が購入した前記商品又は前記サービスの総数に基づいて決定する販売方法で販売される前記商品又は前記サービスの購入状況に関する情報を記憶してなる記憶手段の記憶内容に基づいて、前記商品又は前記サービスの購入状況に関する購入状況情報を取得する購入状況情報取得手段と、前記購入状況情報に基づいて、前記商品又は前記サービスの購入状況に関するコメントを示すコメント情報を生成するコメント情報生成手段と、前記コミュニケーションサービスを提供するためのコミュニケーションサービス装置にアクセスするためのリンク情報と、前記コメント情報と、を前記ユーザの端末に送信する送信手段と、を含み、前記リンク情報と前記コメント情報とは、前記ユーザの端末が、コメントを投稿するための投稿画面を表示するためのデータであって、かつ、前記商品又は前記サービスの購入状況に関する前記コメントが前記投稿画面のコメント入力欄に自動入力されるようなデータである投稿画面データを前記コミュニケーションサービス装置に要求するために用いられることを特徴とする。
【０００９】
また、本発明に係るコメント投稿支援装置の制御方法は、投稿者によって投稿されたコメントを他者に公開するコミュニケーションサービスにおけるコメントの投稿を支援するためのコメント投稿支援装置の制御方法において、対象期間内に複数の購入者が購入した商品又はサービスの単価を前記対象期間内に前記複数の購入者が購入した前記商品又は前記サービスの総数に基づいて決定する販売方法で販売される前記商品又は前記サービスの購入状況に関する情報を記憶してなる記憶手段の記憶内容に基づいて、前記商品又は前記サービスの購入状況に関する購入状況情報を取得する購入状況情報取得ステップと、前記購入状況情報に基づいて、前記商品又は前記サービスの購入状況に関するコメントを示すコメント情報を生成するコメント情報生成ステップと、前記コミュニケーションサービスを提供するためのコミュニケーションサービス装置にアクセスするためのリンク情報と、前記コメント情報と、を前記ユーザの端末に送信する送信ステップと、を含み、前記リンク情報と前記コメント情報とは、前記ユーザの端末が、コメントを投稿するための投稿画面を表示するためのデータであって、かつ、前記商品又は前記サービスの購入状況に関する前記コメントが前記投稿画面のコメント入力欄に自動入力されるようなデータである投稿画面データを前記コミュニケーションサービス装置に要求するために用いられることを特徴とする。
【００１０】
また、本発明に係るプログラムは、ユーザの端末と通信可能に接続されるコンピュータを、投稿者によって投稿されたコメントを他者に公開するコミュニケーションサービスにおけるコメントの投稿を支援するためのコメント投稿支援装置として機能させるためのプログラムであって、対象期間内に複数の購入者が購入した商品又はサービスの単価を前記対象期間内に前記複数の購入者が購入した前記商品又は前記サービスの総数に基づいて決定する販売方法で販売される前記商品又は前記サービスの購入状況に関する情報を記憶してなる記憶手段の記憶内容に基づいて、前記商品又は前記サービスの購入状況に関する購入状況情報を取得する購入状況情報取得手段、前記購入状況情報に基づいて、前記商品又は前記サービスの購入状況に関するコメントを示すコメント情報を生成するコメント情報生成手段、及び、前記コミュニケーションサービスを提供するためのコミュニケーションサービス装置にアクセスするためのリンク情報と、前記コメント情報と、を前記ユーザの端末に送信する送信手段、として前記コンピュータを機能させ、前記リンク情報と前記コメント情報とは、前記ユーザの端末が、コメントを投稿するための投稿画面を表示するためのデータであって、かつ、前記商品又は前記サービスの購入状況に関する前記コメントが前記投稿画面のコメント入力欄に自動入力されるようなデータである投稿画面データを前記コミュニケーションサービス装置に要求するために用いられることを特徴とするプログラムである。
【００１１】
また、本発明に係る情報記憶媒体は、上記プログラムを記録したコンピュータ読み取り可能な情報記憶媒体である。
【００１２】
また、本発明の一態様では、前記送信手段は、前記商品又は前記サービスに関する情報が掲載される商品／サービス画面を表示するためのデータであって、かつ、前記リンク情報と前記コメント情報とを含んでなるデータである商品／サービス画面データを前記ユーザの端末に送信し、前記ユーザの端末は、前記商品／サービス画面データに基づいて、前記商品／サービス画面を前記表示部に表示させる手段と、前記商品／サービス画面において所定の操作が行われた場合に、前記投稿画面データを前記リンク情報と前記コメント情報とに基づいて前記コミュニケーションサービス装置に要求する手段と、を含むようにしてもよい。
【００１３】
また、本発明の一態様では、前記コメント投稿支援装置は、前記商品又は前記サービスに関する情報が掲載される商品／サービス画面を表示するため商品／サービス画面データを生成する手段と、前記商品／サービス画面データを前記ユーザの端末に送信する手段と、を含み、前記ユーザの端末は、前記商品／サービス画面データに基づいて、前記商品／サービス画面を前記表示部に表示させる手段と、前記商品／サービス画面において所定の操作が行われた場合に前記リンク情報と前記コメント情報とを前記コメント投稿支援装置に要求する手段と、を含み、前記送信手段は、前記ユーザの端末から要求された場合に前記リンク情報と前記コメント情報とを前記ユーザの端末に送信し、前記ユーザの端末は、前記リンク情報と前記コメント情報とを受信した場合、前記投稿画面データを前記リンク情報と前記コメント情報とに基づいて前記コミュニケーションサービス装置に要求する手段を含むようにしてもよい。
【００１４】
また、本発明の一態様では、前記購入状況情報取得手段は、前記対象期間に関する情報と、前記商品又は前記サービスの購入数に関する情報と、の少なくとも一方に関する情報を前記購入状況情報として取得するようにしてもよい。
【００１５】
また、本発明の一態様では、前記商品又は前記サービスの購入状況が所定の状況になったか否かを判定する手段と、前記商品又は前記サービスの購入状況が前記所定の状況になったと判定された場合、前記商品又は前記サービスの購入状況に関するコメントを前記コミュニケーションサービスにおいて投稿する手段と、を含むようにしてもよい。
【００１６】
また、本発明に係るコメント投稿支援システムは、投稿者によって投稿されたコメントを他者に公開するコミュニケーションサービスにおけるコメントの投稿を支援するためのコメント投稿支援装置と、前記コメント投稿支援装置と通信可能に接続されるユーザの端末と、を含むコメント投稿支援システムにおいて、対象期間内に複数の購入者が購入した商品又はサービスの単価を前記対象期間内に前記複数の購入者が購入した前記商品又は前記サービスの総数に基づいて決定する販売方法で販売される前記商品又は前記サービスの購入状況に関する情報を記憶する記憶手段を含み、前記コメント投稿支援装置は、前記記憶手段の記憶内容に基づいて、前記商品又は前記サービスの購入状況に関する購入状況情報を取得する購入状況情報取得手段と、前記コミュニケーションサービスを提供するためのコミュニケーションサービス装置にアクセスするためのリンク情報と、前記購入状況情報と、を前記ユーザの端末に送信する送信手段と、を含み、前記ユーザの端末は、前記購入状況情報に基づいて、前記商品又は前記サービスの購入状況に関するコメントを示すコメント情報を生成するコメント情報生成手段と、コメントを投稿するための投稿画面を表示するためのデータであって、かつ、前記商品又は前記サービスの購入状況に関する前記コメントが前記投稿画面のコメント入力欄に自動入力されるようなデータである投稿画面データを、前記リンク情報と前記コメント情報とに基づいて、前記コミュニケーションサービス装置に要求する手段と、前記コミュニケーションサービス装置から送信される前記投稿画面データに基づいて前記投稿画面を表示部に表示させる手段と、を含み、前記表示部に表示される前記投稿画面の前記コメント入力欄には、前記商品又は前記サービスの購入状況に関する前記コメントが自動入力されることを特徴とする。
【００１７】
また、本発明に係るコメント投稿支援装置は、ユーザの端末と通信可能に接続され、投稿者によって投稿されたコメントを他者に公開するコミュニケーションサービスにおけるコメントの投稿を支援するためのコメント投稿支援装置において、対象期間内に複数の購入者が購入した商品又はサービスの単価を前記対象期間内に前記複数の購入者が購入した前記商品又は前記サービスの総数に基づいて決定する販売方法で販売される前記商品又は前記サービスの購入状況に関する情報を記憶してなる記憶手段の記憶内容に基づいて、前記商品又は前記サービスの購入状況に関する購入状況情報を取得する購入状況情報取得手段と、前記コミュニケーションサービスを提供するためのコミュニケーションサービス装置にアクセスするためのリンク情報と、前記購入状況情報と、を前記ユーザの端末に送信する送信手段と、を含み、前記購入状況情報は、前記ユーザの端末が、前記商品又は前記サービスの購入状況に関するコメントを示すコメント情報を生成するために用いられ、前記リンク情報と前記コメント情報とは、前記ユーザの端末が、コメントを投稿するための投稿画面を表示するためのデータであって、かつ、前記商品又は前記サービスの購入状況に関する前記コメントが前記投稿画面のコメント入力欄に自動入力されるようなデータである投稿画面データを前記コミュニケーションサービス装置に要求するために用いられることを特徴とする。
【００１８】
また、本発明に係るコメント投稿支援装置の制御方法は、投稿者によって投稿されたコメントを他者に公開するコミュニケーションサービスにおけるコメントの投稿を支援するためのコメント投稿支援装置の制御方法において、対象期間内に複数の購入者が購入した商品又はサービスの単価を前記対象期間内に前記複数の購入者が購入した前記商品又は前記サービスの総数に基づいて決定する販売方法で販売される前記商品又は前記サービスの購入状況に関する情報を記憶してなる記憶手段の記憶内容に基づいて、前記商品又は前記サービスの購入状況に関する購入状況情報を取得する購入状況情報取得ステップと、前記コミュニケーションサービスを提供するためのコミュニケーションサービス装置にアクセスするためのリンク情報と、前記購入状況情報と、を前記ユーザの端末に送信する送信ステップと、を含み、前記購入状況情報は、前記ユーザの端末が、前記商品又は前記サービスの購入状況に関するコメントを示すコメント情報を生成するために用いられ、前記リンク情報と前記コメント情報とは、前記ユーザの端末が、コメントを投稿するための投稿画面を表示するためのデータであって、かつ、前記商品又は前記サービスの購入状況に関する前記コメントが前記投稿画面のコメント入力欄に自動入力されるようなデータである投稿画面データを前記コミュニケーションサービス装置に要求するために用いられることを特徴とする。
【００１９】
また、本発明に係るプログラムは、ユーザの端末と通信可能に接続されるコンピュータを、投稿者によって投稿されたコメントを他者に公開するコミュニケーションサービスにおけるコメントの投稿を支援するためのコメント投稿支援装置として機能させるためのプログラムであって、対象期間内に複数の購入者が購入した商品又はサービスの単価を前記対象期間内に前記複数の購入者が購入した前記商品又は前記サービスの総数に基づいて決定する販売方法で販売される前記商品又は前記サービスの購入状況に関する情報を記憶してなる記憶手段の記憶内容に基づいて、前記商品又は前記サービスの購入状況に関する購入状況情報を取得する購入状況情報取得手段、及び、前記コミュニケーションサービスを提供するためのコミュニケーションサービス装置にアクセスするためのリンク情報と、前記購入状況情報と、を前記ユーザの端末に送信する送信手段、として前記コンピュータを機能させ、前記購入状況情報は、前記ユーザの端末が、前記商品又は前記サービスの購入状況に関するコメントを示すコメント情報を生成するために用いられ、前記リンク情報と前記コメント情報とは、前記ユーザの端末が、コメントを投稿するための投稿画面を表示するためのデータであって、かつ、前記商品又は前記サービスの購入状況に関する前記コメントが前記投稿画面のコメント入力欄に自動入力されるようなデータである投稿画面データを前記コミュニケーションサービス装置に要求するために用いられることを特徴とするプログラムである。
【００２０】
また、本発明に係る情報記憶媒体は、上記プログラムを記録したコンピュータ読み取り可能な情報記憶媒体である。
【発明の効果】
【００２１】
本発明によれば、コメントを見た者が商品又はサービスの購入状況を把握できるようなコメントの投稿を支援することが可能になる。
【図面の簡単な説明】
【００２２】
【図１】本発明の実施形態に係る電子商取引システムの全体構成を示す図である。
【図２】サーバのハードウェア構成を示す図である。
【図３】ユーザ端末のハードウェア構成を示す図である。
【図４】トップ画面の一例を示す図である。
【図５】商品画面の一例を示す図である。
【図６】投稿画面の一例を示す図である。
【図７】本発明の実施形態に係る電子商取引システムの機能ブロック図である。
【図８】ユーザテーブルの一例を示す図である。
【図９】購入履歴テーブルの一例を示す図である。
【図１０】商品テーブルの一例を示す図である。
【図１１】共同購入テーブルの一例を示す図である。
【図１２】共同購入価格テーブルの一例を示す図である。
【図１３】共同購入状況テーブルの一例を示す図である。
【図１４】商品画面データの一例を示す図である。
【図１５】電子商取引システムで実行される処理の一例を示すフロー図である。
【図１６】本発明の実施形態に係る電子商取引システムの機能ブロック図である。
【図１７】電子商取引システムで実行される処理の他の一例を示すフロー図である。
【図１８】商品画面データの他の一例を示す図である。
【図１９】電子商取引システムで実行される処理の他の一例を示すフロー図である。
【図２０】商品画面データの他の一例を示す図である。
【図２１】リダイレクト情報の一例を示す図である。
【図２２】電子商取引システムで実行される処理の一例を示すフロー図である。
【発明を実施するための形態】
【００２３】
以下、本発明の実施形態の例について図面に基づき詳細に説明する。ここでは、本発明を電子商取引システムに適用した場合について説明する。すなわち、複数の店舗が出店する仮想的な商店街を実現する電子商取引システムにおいて、本発明の実施形態に係るコメント投稿支援システムを実現する場合の例について説明する。
【００２４】
［第１実施形態］     
まず、本発明の第１実施形態に係る電子商取引システムについて説明する。図１は、本発明の第１実施形態に係る電子商取引システムの全体構成を示す。図１に示す電子商取引システム１は仮想的な商店街を提供するためのシステムであり、サーバ１０（コメント投稿支援装置）、データベース１６、複数のユーザ端末２０、複数の店舗端末４、及びコミュニケーションサービスサーバ６を含む。サーバ１０、複数のユーザ端末２０、複数の店舗端末４、及びコミュニケーションサービスサーバ６は、例えばインターネット等を含んで構成される通信ネットワーク２に接続される。サーバ１０とユーザ端末２０との間で相互にデータ通信が可能である。コミュニケーションサービスサーバ６とユーザ端末２０との間でも相互にデータ通信が可能である。また、サーバ１０と店舗端末４との間でも相互にデータ通信が可能である。
【００２５】
サーバ１０は、例えば仮想商店街のポータルとして機能する仮想商店街サーバである。サーバ１０は、ユーザ端末２０又は店舗端末４から受信した処理要求に基づく処理を実行する。図２はサーバ１０のハードウェア構成を示す。図２に示すように、サーバ１０は、制御部１１、主記憶部１２、補助記憶部１３、光ディスクドライブ部１４、及び通信インタフェース１５を含む。
【００２６】
制御部１１は例えばＣＰＵ（Central Processing Unit）等を含み、プログラムに従って各種処理を実行する。主記憶部１２は例えばＲＡＭ（Random Access Memory）を含んで構成される。主記憶部１２には、補助記憶部１３又は光ディスク（情報記憶媒体）から読み出されたプログラムやデータが記憶される。また主記憶部１２は、処理の過程で必要なデータを記憶するワークメモリとしても用いられる。補助記憶部１３は例えばハードディスク装置を含む。
【００２７】
光ディスクドライブ部１４は光ディスクに記憶されたプログラムやデータを読み取る。通信インタフェース１５はサーバ１０を通信ネットワーク２に接続するためのインタフェースである。プログラムやデータは光ディスクを介してサーバ１０に供給される。また、プログラムやデータは通信ネットワーク２を介して遠隔地からサーバ１０に供給される。
【００２８】
サーバ１０はデータベース１６にアクセスできるようになっている。データベース１６には、例えば、仮想商店街を利用するユーザの情報、仮想商店街で取り扱っている商品の情報や、仮想商店街で行われた取引の情報等が記憶される。なお、データベース１６はサーバ１０内に構築されていてもよいし、サーバ１０とは別体のサーバ内に構築されていてもよい。
【００２９】
店舗端末４は、仮想商店街に出店する店舗側に設けられた情報処理装置である。店舗端末４は例えばパーソナルコンピュータ等である。店舗端末４では、仮想商店街で販売する商品の情報等をサーバ１０を介してデータベース１６に登録するために用いられる。例えば、店舗端末４ではサーバ１０から提供される専用画面が表示される。店舗側の管理者は、この専用画面において、商品の基本情報や商品の販売方法に関する情報等を入力できるようになっている。
【００３０】
コミュニケーションサービスサーバ６は、コメントの投稿を受け付けて該コメントを公衆に公開するコミュニケーションサービスを提供するためのサーバである。コミュニケーションサービスサーバ６は、仮想商店街を運営する企業によって管理されるサーバであってもよいし、仮想商店街を運営する企業以外の企業によって管理されるサーバであってもよい。例えば、コミュニケーションサービスサーバ６は、Ｔｗｉｔｔｅｒ（登録商標）サービス又はＦａｃｅｂｏｏｋ（登録商標）サービス等のソーシャル・ネットワーキング・サービスを提供するサーバである。
【００３１】
コミュニケーションサービスサーバ６によって提供されるコミュニケーションサービスでは、原則として、投稿者は相手を特定しないでコメントを投稿する。そして、コメントを見る側の者がどのコメントを見るのかを選ぶ。例えば、ユーザは、自らが興味を持っている分野に関するコメントを投稿したり、他のユーザによって投稿された同分野に関するコメントを選んで見たりすることによって、同分野に関するコミュニケーションを図ることができる。
【００３２】
ユーザ端末２０はユーザによって操作される情報処理装置である。ユーザ端末２０は、例えばパーソナルコンピュータ、携帯電話機、又は携帯情報端末（ＰＤＡ）等である。ユーザ端末２０は仮想商店街で商品を購入するためや、コミュニケーションサービスサーバ６により提供されるコミュニケーションサービスの利用などに用いられる。図３はユーザ端末２０のハードウェア構成を示す。図３に示すように、ユーザ端末２０は、制御部２１、主記憶部２２、補助記憶部２３、光ディスクドライブ部２４、通信インタフェース２５、入力部２６、及び表示部２７を含む。
【００３３】
制御部２１、主記憶部２２、補助記憶部２３、光ディスクドライブ部２４、及び通信インタフェース２５は、図２における制御部１１、主記憶部１２、補助記憶部１３、光ディスクドライブ部１４、及び通信インタフェース１５と同様である。入力部２６はユーザが各種情報を入力するためのものであり、例えばキーボード、マウス、又はタッチパネル等である。表示部２７は各種情報を表示するためのものであり、例えば液晶表示パネル等である。
【００３４】
本実施形態の場合、例えば、サーバ１０ではＨＴＴＰ（HyperText Transfer Protocol）デーモンが起動される。また、ユーザ端末２０ではブラウザが起動され、ユーザ端末２０からは、ブラウザを介して処理要求（ＨＴＴＰリクエスト）がサーバ１０に送信される。また、サーバ１０からは、上記の処理要求に対応する処理結果（ＨＴＴＰレスポンス）がユーザ端末２０に送信される。例えば、ウェブページ記述言語で記述されたページデータがユーザ端末２０に送信される。そして、このページデータに基づいて、処理結果に基づく画面がユーザ端末２０に備えられた表示部２７に表示される。
【００３５】
仮想商店街を利用するユーザはユーザ端末２０を用いてサーバ１０にアクセスする。この場合、ユーザ端末２０には仮想商店街のトップ画面（トップページ）が表示される。図４はトップ画面の一例を示す。図４に示すトップ画面３０では、ユーザが商品を検索したり、商品のカテゴリを選択したりできるようになっている。
【００３６】
例えば、ユーザが商品の検索条件を指定すると、サーバ１０で商品の検索が実行され、検索条件を満足する商品の一覧を示す商品一覧画面（図示せず）がユーザ端末２０に表示される。また、ユーザが商品のカテゴリを選択すると、サーバ１０でそのカテゴリに属する商品の一覧が取得され、その一覧を示す商品一覧画面（図示せず）がユーザ端末２０に表示される。
【００３７】
そして、商品一覧画面でユーザがいずれかの商品を選択すると、その商品の情報がサーバ１０で取得され、その商品を購入するための商品画面（商品ページ）がユーザ端末２０の表示部２７に表示される。図５は商品画面の一例を示す。なお、図５に示す商品画面４０は、共同購入の対象になっている商品の商品画面になっている。
【００３８】
ここで、「共同購入」について説明しておく。電子商取引システム１では、店舗が、共同購入型の販売方法を採用して商品を販売できるようになっている。例えば、商品「Ａ」を共同購入型の販売方法で販売する場合、商品「Ａ」の販売期間が定められ、その販売期間内において商品「Ａ」の購入者を募る。そして、販売期間内に購入された商品「Ａ」の単価が、販売期間内における商品「Ａ」の購入数の合計に応じて決定される。商品「Ａ」の購入数が多いほど（すなわち、商品「Ａ」の購入者が多いほど）、商品「Ａ」の単価が下がる。店舗は、各商品ごとに、共同購入型の販売方法を採用するか否かを決定できる。なお、ユーザからの要望に応じて、共同購入型の販売方法で商品が販売されるようにしてもよい。
【００３９】
図５に示す商品画面４０には商品の名称４１、画像４２、説明４３、及び通常価格４４が表示されている。また、商品画面４０には、共同購入の対象になっている商品に特有の情報４５，４６も表示されている。例えば、共同購入における価格が表示されている。また、商品の販売期間、開始時の価格、現在の価格、店舗が販売可能な数の上限や、現在までに購入された数も表示されている。さらに、現在までの購入状況も表示されている。
【００４０】
図５に示す商品画面４０では、商品の購入数が９８個に達しており、商品の単価が通常価格（１３００円）よりも１００円安い１２００円になっている。この状況のまま販売期間が終了すると、それぞれの購入者に単価１２００円で商品が販売されることになる。また、この状況からさらに商品が３個購入されることによって商品の購入数が１０１個に達すると、商品の単価が通常価格よりも２００円安い１１００円に下がることになる。
【００４１】
商品の購入を希望するユーザは数量選択欄４７において購入数を選択し、共同購入ボタン４８をクリックする。共同購入ボタン４８がクリックされると、購入手続きを行うための購入画面（図示せず）がユーザ端末２０の表示部２７に表示される。ユーザはこの購入画面で購入手続きを行う。
【００４２】
本実施形態の場合、商品の共同購入を促すためのコメントを投稿するための投稿アイコン４９が商品画面４０に表示される。投稿アイコン４９は、コミュニケーションサービスサーバ６によって提供されるコミュニケーションサービスへのリンクになっている。ユーザが投稿アイコン４９をクリックすると、コミュニケーションサービスへのログイン画面（図示せず）が表示される。そして、ログイン処理が正常に完了すると、コミュニケーションサービスサーバ６からユーザ端末２０に投稿画面データ（ページデータ）が送信され、コメントを投稿するための投稿画面がこのデータに基づいてユーザ端末２０の表示部２７に表示される。なお、ログイン状態がＣｏｏｋｉｅ等によって保持されている場合においては、ログイン画面が表示されることなく、コミュニケーションサービスサーバ６からユーザ端末２０に投稿画面データが送信され、投稿画面がユーザ端末２０の表示部２７に表示される。
【００４３】
図６は投稿画面の一例を示す。図６に示す投稿画面５０は、ユーザがコメントを入力するための入力欄５１と、投稿ボタン５２とを含んでいる。なお、この投稿画面５０で入力されるコメントは、コメントを見る相手を特定して入力されるものではなく、不特定の相手に見られることを前提として入力されるものである。
【００４４】
特に、本実施形態の場合、商品の共同購入状況に関するコメントが入力欄５１に初期表示される。なお図６において、「Ａ」は商品名である。「ｈｔｔｐ：／／ａ＊＊＊＊．ｃｏ．ｊｐ／Ｇ０００１／」は、商品「Ａ」の商品画面データ（商品ページデータ）のＵＲＬ（Uniform Resource Locator）である。
【００４５】
図６に示す入力欄５１に初期表示されているコメントは下記の情報を含んでいる。
（１）商品名
（２）商品の単価が現在の単価から下がるために必要な購入数
（３）商品の単価が現在の単価から下がったと仮定した場合における割引額（通常単価との差額）
（４）販売期間（商品を購入可能な期間）の終了時点までの残り時間
（５）商品画面データ（商品ページデータ）のＵＲＬ
【００４６】
初期表示されるコメントは上記の情報を含んでいるため、初期表示されるコメントの内容は、このコメントを見た者が商品の共同購入状況を容易に把握できるような内容になっている。また、初期表示されるコメントの内容は、このコメントを見て商品に興味を持った者が商品ページに容易にアクセスできるような内容になっている。
【００４７】
投稿画面５０において、ユーザは、初期表示されたコメントに基づいてコメントを作成することができる。ユーザは必要に応じて補足的な説明等を書き加え、コメントの作成が完了したら、投稿ボタン５２をクリックする。投稿ボタン５２がクリックされると、入力欄５１に入力されたコメントがコミュニケーションサービスサーバ６に送信される。そして、このコメントが公開されることになる。なお、ユーザは補足的な説明等を書き加えることなく、投稿ボタン５２をクリックすることも可能である。この場合、初期表示されたコメントがそのままコミュニケーションサービスサーバ６に送信され、公開されることになる。
【００４８】
以上に説明したように、電子商取引システム１では上記のコメント投稿機能が備えられることによって、ユーザは他のユーザに共同購入を促すことができるようになっている。また、上記のコメント投稿機能は入力支援機能を含んでおり、商品の共同購入状況に関するコメントが入力欄５１に自動入力されるようになっている。この入力支援機能によって、ユーザは他のユーザに共同購入を促すようなコメントを投稿し易くなっている。また仮に、自動入力されたコメントのままで投稿されたとしても、そのコメントを見た他のユーザが商品の共同購入状況を把握できるようになっている。また店舗側にとっては、ユーザによって投稿されるコメントが有効な広告として機能するようになるという点で利点がある。
【００４９】
以下、上記のコメント投稿機能（入力支援機能）を実現するための構成について説明する。図７は、電子商取引システム１で実現される機能ブロックのうち、上記のコメント投稿機能に関連する機能ブロックを示す機能ブロック図である。図７に示すように、電子商取引システム１は記憶部６０、購入状況情報取得部６１、コメント情報生成部６２、及び送信部６３を含んでいる。
【００５０】
例えば、記憶部６０はデータベース１６によって実現され、購入状況情報取得部６１、コメント情報生成部６２、及び送信部６３はサーバ１０において実現される。サーバ１０の制御部１１がプログラムを実行することによって、制御部１１が購入状況情報取得部６１、コメント情報生成部６２、及び送信部６３として機能するようになる。
【００５１】
まず、記憶部６０について説明する。記憶部６０は各種データを記憶する。例えば、記憶部６０はトップ画面３０及び商品画面４０をユーザ端末２０に表示させるためのデータを記憶する。図８〜図１３は記憶部６０に記憶されるデータの一例を示す。
【００５２】
図８はユーザテーブルの一例を示す。仮想商店街を利用するユーザの情報がユーザテーブルに登録される。図８に示すユーザテーブルは「ユーザＩＤ」、「氏名」、「住所」、「メールアドレス」、及び「クレジットカード情報」フィールドを含んでいる。
【００５３】
図９は購入履歴テーブルの一例を示す。各ユーザの商品購入履歴が購入履歴テーブルに登録される。図９に示す購入履歴テーブルは「取引ＩＤ」、「ユーザＩＤ」、「商品ＩＤ」、「購入日時」、「購入数」、及び「金額」フィールドを含んでいる。
【００５４】
図１０は商品テーブルの一例を示す。仮想商店街で取り扱われている商品の情報が商品テーブルに登録される。図１０に示す商品テーブルは「商品ＩＤ」、「店舗ＩＤ」、「商品名」、「カテゴリ」、「画像」、「ＵＲＬ」、「説明」、「単価」、「在庫数」、及び「共同購入フラグ」フィールドを含んでいる。「店舗ＩＤ」フィールドは、商品を取り扱っている店舗の店舗ＩＤを示す。また、「画像」フィールドは商品の画像データのファイル名や保存場所等を示す。「ＵＲＬ」フィールドは商品画面データ（商品ページデータ）のＵＲＬを示す。さらに、「単価」フィールドは商品の通常価格を示す。
【００５５】
「共同購入フラグ」フィールドは、共同購入型の販売方法を採用するか否かを示す。例えば、「共同購入フラグ」フィールドには「０」又は「１」が格納される。「０」は、共同購入型の販売方法を採用しないことを示し、「１」は、共同購入型の販売方法を採用することを示す。
【００５６】
なお、商品ＩＤが「Ｇ０００１」である商品は、図５に示す商品画面４０に掲載されている商品「Ａ」であることとする。
【００５７】
図１１〜図１３に示すデータは、共同購入型の販売方法を採用する場合に必要な情報が登録されたデータである。図１１は共同購入テーブルの一例を示す。図１１に示す共同購入テーブルは「商品ＩＤ」、「販売期間」、及び「上限数」フィールドを含んでいる。「上限数」フィールドは店舗が共同購入型の販売方法で販売可能な最大個数を示す。
【００５８】
図１２は共同購入価格テーブルの一例を示す。共同購入型の販売方法を採用する場合の価格に関する情報が共同購入価格テーブルに登録される。図１２に示す共同購入価格テーブルは「商品ＩＤ」、「購入数」、及び「単価」フィールドを含んでおり、商品の購入数と商品の単価との関係を示している。商品の購入数が多くなるほど、商品の単価が下がるようになっている。
【００５９】
図１３は共同購入状況テーブルの一例を示す。共同購入の対象になっている商品の現時点までの購入状況が共同購入状況テーブルに登録される。図１３に示す共同購入状況テーブルは「商品ＩＤ」、「ユーザＩＤ」、「購入日時」、及び「購入数」フィールドを含んでいる。
【００６０】
図８〜図１３に示すデータは、商品の検索を実行する場合や商品一覧画面又は商品画面４０を生成する場合に参照される。例えば、商品画面４０は商品テーブル、共同購入テーブル、共同購入価格テーブル、及び共同購入状況テーブルに基づいて生成される。
【００６１】
次に、購入状況情報取得部６１について説明する。購入状況情報取得部６１は購入状況情報を取得する。購入状況情報は商品の共同購入状況に関する情報である。購入状況情報は、投稿画面５０の入力欄５１に自動入力するコメントを生成するために必要な情報であり、例えば下記の情報を含む。
（１）販売期間内においてこれまでに購入された個数に関する情報
（２）単価に関する情報
（３）販売期間（商品を購入可能な期間）の終了時点に関する情報
【００６２】
購入状況情報は共同購入テーブル（図１１）、共同購入価格テーブル（図１２）、及び共同購入状況テーブル（図１３）に基づいて取得される。
【００６３】
次に、コメント情報生成部６２及び送信部６３について説明する。コメント情報生成部６２は、購入状況情報取得部６１によって取得された購入状況情報に基づいて、コメント情報を生成する。コメント情報は、商品の共同購入状況に関するコメントを示す情報である。送信部６３は、コミュニケーションサービスサーバ６にアクセスするためのリンク情報と、コメント情報生成部６２によって生成されたコメント情報と、をユーザ端末２０に送信する。送信部６３はリンク情報とコメント情報とを関連づけてユーザ端末２０に送信する。
【００６４】
なお、リンク情報とコメント情報とは、ユーザ端末２０が「投稿画面５０を表示するためのデータであって、かつ、商品の共同購入状況に関するコメントが投稿画面５０の入力欄５１に自動入力されるようなデータである投稿画面データ」をコミュニケーションサービスサーバ６に要求するために用いられる。
【００６５】
本実施形態の場合、送信部６３は、商品画面４０をユーザ端末２０において表示するための商品画面データ（商品ページデータ）をユーザ端末２０に送信する。この商品画面データには上記のリンク情報及びコメント情報が含まれる。
【００６６】
図１４は商品画面データの一例を示す図である。図１４は商品画面データのソースを示している。また、図１４に示す商品画面データは図５に示した商品画面４０に対応している。ただし、図１４は商品画面データのうちの一部分のみを示している。上述したように、商品画面４０では、所定の操作（投稿アイコン４９のクリック操作）が行われた場合にユーザ端末２０からコミュニケーションサービスサーバ６に投稿画面データが要求されるようになっている。図１４は投稿アイコン４９に関連する部分のみを示している。
【００６７】
なお、図１４において、「ｈｔｔｐ：／／ｂ＊＊＊＊．ｃｏｍ／ｈｏｍｅ？ｓｔａｔｕｓ＝・・・」は、コミュニケーションサービスサーバ６から提供される投稿画面データのＵＲＬである。また、「ｈｔｔｐ：／／ａ＊＊＊＊．ｃｏ．ｊｐ／Ｇ０００１／」は、商品「Ａ」の商品画面データのＵＲＬである。さらに、「ｈｔｔｐ：／／ｃ＊＊＊＊．ｃｏｍ／ｉｃｏｎ．ｇｉｆ」は、投稿アイコン４９の画像データのＵＲＬである。また、［改行］は改行コードが挿入されることを示している。
【００６８】
図１４に示す商品画面データでは、投稿アイコン４９に投稿画面データのＵＲＬが関連づけられている。また、投稿画面データのＵＲＬにはｓｔａｔｕｓ引数が含まれている。ｓｔａｔｕｓ引数は、投稿画面５０の入力欄５１に初期表示すべき文字列をコミュニケーションサービスサーバ６に伝えるための役割を果たす。
【００６９】
このため、入力欄５１に初期表示すべき文字列がｓｔａｔｕｓ引数に設定される。本実施形態の場合、商品の共同購入状況に関するコメントを示す文字列がｓｔａｔｕｓ引数に設定される。図１４に示す例では、図６に示す投稿画面５０の入力欄５１に初期表示されているコメントを示す文字列がｓｔａｔｕｓ引数に設定されている。
【００７０】
なお、ｓｔａｔｕｓ引数には、ＵＲＬエンコードされた文字列が設定されるが、図１４では、便宜上、ＵＲＬエンコードされていないままの文字列がｓｔａｔｕｓ引数に設定されている。
【００７１】
商品画面４０の投稿アイコン４９がクリックされた場合、投稿アイコン４９に関連づけられたＵＲＬに基づいて、ユーザ端末２０からコミュニケーションサービスサーバ６に投稿画面データが要求される。この際、ｓｔａｔｕｓ引数に設定された文字列もコミュニケーションサービスサーバ６に送信される。
【００７２】
コミュニケーションサービスサーバ６は、ｓｔａｔｕｓ引数に設定された文字列が入力欄５１に初期表示されるような投稿画面データを生成する。そして、この投稿画面データはユーザ端末２０に送信され、ユーザ端末２０では投稿画面５０が表示される。この場合の入力欄５１には、ｓｔａｔｕｓ引数に設定されていた文字列が初期表示される。
【００７３】
なお、図１４に示す商品画面データの場合、投稿画面データのＵＲＬが上述の「リンク情報」に相当し、ｓｔａｔｕｓ引数に設定された文字列（商品の共同購入状況に関するコメントを示す文字列）が上述の「コメント情報」に相当している。
【００７４】
次に、以上に説明した機能ブロックを実現するために電子商取引システム１で実行される処理について説明する。図１５は、ユーザ端末２０に表示された商品一覧画面でいずれかの商品が選択されてから、投稿画面５０がユーザ端末２０に表示されるまでに実行される処理の一例を示すフロー図である。なお以下では、商品一覧画面において選択された商品のことを「対象商品」と記載する。
【００７５】
図１５に示すように、ユーザ端末２０の制御部２１は対象商品の商品画面データをサーバ１０に要求する（Ｓ１０１）。この場合、ユーザ端末２０からサーバ１０に対象商品の商品ＩＤが送信される。
【００７６】
上記の要求を受け付けたサーバ１０の制御部１１は、対象商品の商品画面データをユーザ端末２０に送信するための処理を実行する。なお、ここでは、対象商品が共同購入の対象になっている場合に実行される処理について説明する。
【００７７】
まず、制御部１１（購入状況情報取得部６１）は対象商品の購入状況情報を取得する（Ｓ１０２）。例えば、制御部１１は下記の情報を共同購入テーブル（図１１）、共同購入価格テーブル（図１２）、及び共同購入状況テーブル（図１３）に基づいて取得する。
（１）対象商品の単価が現在の単価から下がるために必要な購入数
（２）対象商品の単価が現在の単価から下がったと仮定した場合における割引額（通常単価との差額）
（３）対象商品の販売期間の終了時点までの残り時間
【００７８】
なお、制御部１１は、上記の情報の他に、対象商品の名称及び商品画面データのＵＲＬも取得する。これらの情報は商品テーブル（図１０）から取得される。
【００７９】
対象商品の購入状況情報が取得された後、制御部１１（コメント情報生成部６２）は、対象商品の共同購入状況に関するコメントを生成する（Ｓ１０３）。すなわち、投稿画面５０の入力欄５１に初期表示させるコメントを制御部１１は生成する。例えば、図６に示す投稿画面５０の入力欄５１に初期表示されているようなコメントが、ステップＳ１０２で取得された購入状況情報に基づいて生成される。
【００８０】
そして、制御部１１は対象商品の商品画面データを生成する（Ｓ１０４）。例えば図１４に示したような商品画面データが生成される。なお、この際、投稿画面データのＵＲＬに含まれるｓｔａｔｕｓ引数には、ステップＳ１０３で生成されたコメントを示す文字列が設定される。
【００８１】
対象商品の商品画面データが生成された後、制御部１１（送信部６３）は商品画面データをユーザ端末２０に送信する（Ｓ１０５）。そして、ユーザ端末２０は、受信した商品画面データに基づいて、対象商品の商品画面４０を表示部２７に表示させる（Ｓ１０６）。
【００８２】
そして、商品画面４０の投稿アイコン４９がクリックされた場合、ユーザ端末２０は、投稿画面データをコミュニケーションサービスサーバ６に要求する（Ｓ１０７）。この場合、上述したように、ユーザ端末２０からコミュニケーションサービスサーバ６に、ｓｔａｔｕｓ引数に設定された文字列が送信される。すなわち、ステップＳ１０３で生成されたコメントを示す文字列が、ｓｔａｔｕｓ引数として、コミュニケーションサービスサーバ６に送信されることになる。
【００８３】
上記の要求を受け付けたコミュニケーションサービスサーバ６は投稿画面データを生成する（Ｓ１０８）。この際、コミュニケーションサービスサーバ６は、ｓｔａｔｕｓ引数に設定された文字列が入力欄５１に初期表示されるような投稿画面データを生成する。このようにして生成された投稿画面データはユーザ端末２０に送信される（Ｓ１０９）。
【００８４】
ユーザ端末２０の制御部２１は、受信した投稿画面データに基づいて投稿画面５０を表示部２７に表示させる（Ｓ１１０）。この場合、ステップＳ１０３で生成されたコメントが入力欄５１に初期表示される。以上で図１５に示す処理は終了する。
【００８５】
［第２実施形態］
本発明の第２実施形態に係る電子商取引システムについて説明する。第２実施形態に係る電子商取引システム１の全体構成は第１実施形態と同様である。また、第２実施形態に係る電子商取引システム１も第１実施形態と同様の仮想商店街を提供する。
【００８６】
第１実施形態に係る電子商取引システム１では、入力欄５１に初期表示されるコメントをサーバ１０側で生成するようになっていたが（図１５のステップＳ１０３参照）、第２実施形態に係る電子商取引システム１は、コメントをユーザ端末２０側で生成する点で第１実施形態とは異なっている。
【００８７】
図１６は、第２実施形態に係る電子商取引システム１で実現される機能ブロックのうち、上記のコメント投稿機能に関連する機能ブロックを示す機能ブロック図である。第２実施形態に係る電子商取引システム１は、サーバ１０がコメント情報生成部６２を含まず、かつ、ユーザ端末２０がコメント情報生成部６２ａを含む点で第１実施形態（図７）とは相違している。また、第２実施形態に係る電子商取引システム１では、サーバ１０に含まれる送信部６３ａが第１実施形態における送信部６３とは機能が異なっている。なお、記憶部６０及び購入状況情報取得部６１は第１実施形態と同様である。このため、ここでは、記憶部６０及び購入状況情報取得部６１についての説明を省略し、送信部６３ａ及びコメント情報生成部６２ａについて説明する。
【００８８】
送信部６３ａは、コミュニケーションサービスサーバ６にアクセスするためのリンク情報と、購入状況情報取得部６１によって取得された購入状況情報と、をユーザ端末２０に送信する。送信部６３ａはリンク情報と購入状況情報とを関連づけてユーザ端末２０に送信する。後述するように、購入状況情報は、商品の共同購入状況に関するコメントを示すコメント情報をユーザ端末２０が生成するために用いられる。
【００８９】
コメント情報生成部６２ａは、送信部６３ａによって送信された購入状況情報に基づいて、商品の共同購入状況に関するコメントを示すコメント情報を生成する。コメント情報生成部６２ａによって生成されるコメント情報は、第１実施形態におけるコメント情報生成部６２によって生成されるコメント情報と同様である。第１実施形態と同様、リンク情報とコメント情報とは、ユーザ端末２０が「投稿画面５０を表示するためのデータであって、かつ、商品の共同購入状況に関するコメントが投稿画面５０の入力欄５１に自動入力されるようなデータである投稿画面データ」をコミュニケーションサービスサーバ６に要求するために用いられる。
【００９０】
図１７は、図１６に示す機能ブロックを実現するために電子商取引システム１で実行される処理の一例を示すフロー図である。図１７も、図１５と同様、ユーザ端末２０に表示された商品一覧画面でいずれかの商品が選択されてから、投稿画面５０がユーザ端末２０に表示されるまでに実行される処理を示している。図１５に示す処理の代わりに、例えば図１７に示す処理が実行されることによって、図１６に示す機能ブロックが実現される。
【００９１】
図１７に示す処理においても、ユーザ端末２０の制御部２１は対象商品の商品画面データをサーバ１０に要求する（Ｓ２０１）。そして、サーバ１０の制御部１１（購入状況情報取得部６１）は対象商品の購入状況情報を取得する（Ｓ２０２）。これらの処理は図１５のステップＳ１０１及びステップＳ１０２の処理と同様である。
【００９２】
対象商品の購入状況情報が取得された後、制御部１１は対象商品の商品画面データを生成する（Ｓ２０３）。商品画面データには、ステップＳ２０２で取得された購入状況情報が含まれる。
【００９３】
図１８は、ステップＳ２０３で生成される商品画面データの一例を示す。図１８も図１４と同様に商品画面データのソースを示している。また、図１８に示す商品画面データも、図１４に示した商品画面データと同様に、図５に示した商品画面４０に対応している。ただし、図１８も商品画面データのうちの一部分のみを示している。上述したように、商品画面４０では、所定の操作（投稿アイコン４９のクリック操作）が行われた場合にユーザ端末２０からコミュニケーションサービスサーバ６に投稿画面データが要求されるようになっており、図１８は投稿アイコン４９に関連する部分を主に示している。
【００９４】
ステップＳ２０３で生成される商品画面データには、ステップＳ２０２で取得された購入状況情報が埋め込まれる。図１８に示す例では、不可視に設定されたフォーム群７０が設けられており、ステップＳ２０２で取得された購入状況情報がフォーム群７０に保持されている。
【００９５】
すなわち、図１８に示す例では、商品名「Ａ」がフォーム群７０のうちの最初のフォームに保持されている。対象商品の単価が現在の単価から下がるために必要な購入数「３」が第２番目のフォームに保持されている。対象商品の単価が現在の単価から下がったと仮定した場合における割引額「２００」が第３番目のフォームに保持されている。対象商品の販売期間の終了時点までの残り時間「２」が第４番目のフォームに保持されている。対象商品の商品画面データのＵＲＬ「ｈｔｔｐ：／／ａ＊＊＊＊．ｃｏ．ｊｐ／Ｇ０００１／」が第５番目のフォームに保持されている。
【００９６】
後述するように、フォーム群７０に保持された情報は、入力欄５１に初期表示されるコメントを生成する場合の基礎として用いられる。
【００９７】
また、ステップＳ２０３で生成される商品画面データは、後述のステップＳ２０６及びＳ２０７を実行するためのプログラム７１，７２を含む。このプログラムは、例えばＪａｖａＳｃｒｉｐｔ（登録商標）等のプログラム言語で記述される。さらに、商品画面データは、投稿アイコン４９がクリックされた場合にプログラム（ステップＳ２０６及びＳ２０７）が実行されるように設定される。
【００９８】
図１８に示す例では、投稿アイコン４９がクリックされた場合にｆｕｎｃ関数が実行されるようになっている（符号７３参照）。また、ｆｕｎｃ関数では投稿画面データのＵＲＬが保持されている。ｆｕｎｃ関数では、ｍａｋｅ＿ｃｏｍｍｅｎｔ関数が実行された後、投稿画面データをコミュニケーションサービスサーバ６に要求するようになっている（符号７２参照）。
【００９９】
なお、図１８では詳細が省略されているが（符号７１参照）、ｍａｋｅ＿ｃｏｍｍｅｎｔ関数は、入力欄５１に初期表示すべきコメントを示す文字列をフォーム群７０に保持された情報に基づいて生成し、生成した文字列を出力する関数である。ｍａｋｅ＿ｃｏｍｍｅｎｔ関数の処理の内容は図１５のステップＳ１０３と同様である。
【０１００】
ｆｕｎｃ関数では、投稿画面データをコミュニケーションサービスサーバ６に要求する場合に、ｍａｋｅ＿ｃｏｍｍｅｎｔ関数から出力された文字列がｓｔａｔｕｓ引数としてコミュニケーションサービスサーバ６に送信されるようになっている（符号７２参照）。
【０１０１】
なお、図１８に示す商品画面データの場合、ｆｕｎｃ関数の一部として保持されている投稿画面データのＵＲＬが上述の「リンク情報」に相当している。また、フォーム群７０に保持された情報が上述の「購入状況情報」に相当している。また、図１８に示す商品画面データの場合、フォーム群７０に保持された情報（購入状況情報）と投稿画面データのＵＲＬ（リンク情報）とがｆｕｎｃ関数及びｍａｋｅ＿ｃｏｍｍｅｎｔ関数を介して関連づけられており、その結果として、フォーム群７０に保持された情報に基づいて生成されるコメント（商品の共同購入状況に関するコメント）を示す文字列が投稿画面データのＵＲＬに含まれるｓｔａｔｕｓ引数に設定されるようになっている。
【０１０２】
上記に説明したような商品画面データが生成された後、制御部１１（送信部６３ａ）は対象商品の商品画面データをユーザ端末２０に送信する（Ｓ２０４）。そして、ユーザ端末２０の制御部２１は、受信した商品画面データに基づいて、対象商品の商品画面４０を表示部２７に表示させる（Ｓ２０５）。
【０１０３】
そして、商品画面４０の投稿アイコン４９がクリックされた場合、ユーザ端末２０の制御部２１（コメント情報生成部６２ａ）は対象商品の共同購入状況に関するコメントを生成する（Ｓ２０６）。上述したように、投稿アイコン４９がクリックされた場合、ユーザ端末２０では上記のｆｕｎｃ関数が実行される。そして、ｆｕｎｃ関数の実行中において上記のｍａｋｅ＿ｃｏｍｍｅｎｔ関数が実行されることによって、このステップＳ２０６の処理が実行される。
【０１０４】
対象商品の共同購入状況に関するコメントが生成された後、ユーザ端末２０の制御部２１は投稿画面データをコミュニケーションサービスサーバ６に要求する（Ｓ２０７）。上述したように、投稿アイコン４９がクリックされた場合に実行されるｆｕｎｃ関数によって、このステップＳ２０７の処理は実行される。なお、この場合、投稿画面データがコミュニケーションサービスサーバ６に要求されるとともに、ステップＳ２０６で生成されたコメントを示す文字列がｓｔａｔｕｓ引数としてコミュニケーションサービスサーバ６に送信される。
【０１０５】
上記の要求を受け付けたコミュニケーションサービスサーバ６は投稿画面データを生成し（Ｓ２０８）、投稿画面データをユーザ端末２０に送信する（Ｓ２０９）。これらの処理は図１５のステップＳ１０８，Ｓ１０９の処理と同様である。
【０１０６】
ユーザ端末２０の制御部２１は投稿画面データを受信し、その投稿画面データに基づいて投稿画面５０を表示部２７に表示させる（Ｓ２１０）。この場合、ステップＳ２０６で生成されたコメントが入力欄５１に初期表示される。以上で図１７に示す処理は終了する。
【０１０７】
［第３実施形態］
本発明の第３実施形態に係る電子商取引システムについて説明する。第３実施形態に係る電子商取引システム１の全体構成は第１実施形態と同様である。また、第３実施形態に係る電子商取引システム１も第１実施形態と同様の仮想商店街を提供する。
【０１０８】
第１又は第２実施形態に係る電子商取引システム１では、入力欄５１にコメントを初期表示するための情報（コメント情報又は購入状況情報）が商品画面データに含まれるようになっていたが（図１４，１８参照）、第３実施形態に係る電子商取引システム１は、コメント情報及び購入状況情報を商品画面データに含ませない点で第１及び第２実施形態とは異なっている。
【０１０９】
第３実施形態に係る電子商取引システム１の機能ブロック図は第１実施形態（図７）と同様である。ただし、第３実施形態に係る電子商取引システム１では、図７に示す機能ブロックを実現するために実行される処理が第１実施形態とは異なっている。図１９は、第３実施形態に係る電子商取引システム１で実行される処理の一例を示すフロー図である。図１９も、図１５と同様、ユーザ端末２０に表示された商品一覧画面でいずれかの商品が選択されてから、投稿画面５０がユーザ端末２０に表示されるまでに実行される処理を示している。
【０１１０】
図１９に示す処理においても、ユーザ端末２０の制御部２１は対象商品の商品画面データをサーバ１０に要求する（Ｓ３０１）。この処理は図１５のステップＳ１０１の処理と同様である。
【０１１１】
ユーザ端末２０からの要求を受け付けたサーバ１０の制御部１１は、対象商品の商品ページのデータを生成する（Ｓ３０２）。
【０１１２】
図２０は、ステップＳ３０２で生成される商品画面データの一例を示す。図２０も図１４と同様に商品画面データのソースを示している。また、図２０に示す商品画面データも、図１４及び図１８に示した商品画面データと同様に、図５に示した商品画面４０に対応している。ただし、図２０も商品画面データのうちの一部分のみを示している。図２０は投稿アイコン４９に関連する部分のみを示している。
【０１１３】
ステップＳ３０３で生成される商品画面データでは、投稿画面データのＵＲＬが投稿アイコン４９に関連づけられない。その代わりに、投稿画面データへのリダイレクト情報をユーザ端末２０に送信するためのプログラムのＵＲＬが投稿アイコン４９に関連づけられる。図２０に示す商品画面データの場合、「ｈｔｔｐ：／／ａ＊＊＊＊．ｃｏ．ｊｐ／ｒｅｄｉｒｅｃｔ．ｃｇｉ？ｉｄ＝Ｇ０００１」が上記プログラムのＵＲＬを示している。
【０１１４】
対象商品の商品画面データが生成された後、制御部１１は商品画面データをユーザ端末２０に送信する（Ｓ３０３）。ユーザ端末２０の制御部２１は、受信した商品画面データに基づいて、対象商品の商品画面４０を表示部２７に表示させる（Ｓ３０４）。
【０１１５】
そして、商品画面４０で所定の操作（投稿アイコン４９のクリック操作）が行われた場合、ユーザ端末２０の制御部２１は、投稿画面データへのリダイレクト情報をサーバ１０に要求する（Ｓ３０５）。この場合、対象商品の商品ＩＤもユーザ端末２０からサーバ１０に送信される。
【０１１６】
上記の要求を受け付けたサーバ１０の制御部１１（購入状況情報取得部６１）は対象商品の購入状況情報を取得する（Ｓ３０６）。そして、制御部１１（コメント情報生成部６２）は対象商品の共同購入状況に関するコメントを生成する（Ｓ３０７）。これらの処理は図１５のステップＳ１０３及びＳ１０４の処理と同様である。
【０１１７】
対象商品の共同購入状況に関するコメントが生成された後、制御部１１は、投稿画面データへのリダイレクト情報を生成する（Ｓ３０８）。
【０１１８】
図２１は上記のリダイレクト情報の一例を示す。図２１に示すように、リダイレクト情報には投稿画面データのＵＲＬが含まれる。この場合、投稿画面データのＵＲＬは、図１４に示す商品画面データの投稿アイコン４９に関連づけられていたＵＲＬと同様である。投稿画面データのＵＲＬにはｓｔａｔｕｓ引数として含まれており、ｓｔａｔｕｓ引数には、ステップＳ３０７で生成されたコメントを示す文字列が設定されている。
【０１１９】
なお、図１９に示す処理の場合、図２１に示すリダイレクト情報に含まれる投稿画面データのＵＲＬが上述の「リンク情報」に相当する。また、ｓｔａｔｕｓ引数に設定された文字列（対象商品の共同購入状況に関するコメントを示す文字列）が上述の「コメント情報」に相当する。
【０１２０】
制御部１１（送信部６３）は、ステップＳ３０８で生成されたリダイレクト情報をユーザ端末２０に送信する（Ｓ３０９）。そして、リダイレクト情報を受信したユーザ端末２０では、リダイレクト情報に基づいて、投稿画面データへのリダイレクトが実行され、投稿画面データがコミュニケーションサービスサーバ６に対して要求される（Ｓ３１０）。この場合、ステップＳ３０７で生成されたコメントを示す文字列がｓｔａｔｕｓ引数としてコミュニケーションサービスサーバ６に送信される。
【０１２１】
なお、ステップＳ３１０において、投稿画面データへのリダイレクトは自動的に行われるようにしてもよいし、ユーザの操作に従って行われるようにしてもよい。
【０１２２】
上記の要求を受け付けたコミュニケーションサービスサーバ６は投稿画面データを生成し（Ｓ３１１）、投稿画面データをユーザ端末２０に送信する（Ｓ３１２）。これらの処理は図１５のステップＳ１０８及びＳ１０９の処理と同様である。
【０１２３】
ユーザ端末２０の制御部２１は投稿画面データを受信し、投稿画面データに基づいて投稿画面５０を表示部２７に表示させる（Ｓ３１３）。この場合、ステップＳ３０７で生成されたコメントが入力欄５１に初期表示される。以上で図１９に示す処理は終了する。
【０１２４】
なお、以上に説明した第３実施形態に係る電子商取引システム１（すなわち、図１９に示す処理）では、対象商品の共同購入状況に関するコメントがサーバ１０で生成されるようにしたが、第２実施形態（すなわち、図１７に示す処理）と同様にして、コメントがユーザ端末２０で生成されるようにしてもよい。この場合、ステップＳ３０９でユーザ端末２０に送信されるリダイレクト情報に、ステップＳ３０６で取得された購入状況情報と、コメントを生成するためのプログラムと、を含ませるようにすればよい。また、ステップＳ３０９とステップＳ３１０との間においてコメントが生成された後、投稿画面データへのリダイレクト（ステップＳ３１０）が実行されるようにすればよい。
【０１２５】
ところで、第１又は第２実施形態に係る電子商取引システム１（すなわち、図１５及び図１７に示す処理）の場合、商品画面４０が表示される前に対象商品の購入状況情報が取得される。このため、例えば、商品画面４０が表示されてから投稿アイコン４９がクリックされるまでの期間が長いような場合には、その期間に対象商品の購入状況が変化してしまうおそれがある。そして、その結果、入力欄５１に初期表示されるコメントが示す共同購入状況と、実際の共同購入状況と、の間に相違が生じてしまうおそれがある。この点、第３実施形態に係る電子商取引システム１（すなわち、図１９に示す処理）によれば、最新の共同購入状況が反映されたコメントが入力欄５１に初期表示されるようになる。
【０１２６】
一方、第１又は第２実施形態に係る電子商取引システム１（すなわち、図１５及び図１７に示す処理）によれば、サーバ１０とユーザ端末２０との間の通信回数が図１９に示す処理に比べて少なくなるため、通信ネットワーク２の負荷を軽減することが可能になる。
【０１２７】
［まとめ］
以上説明した第１〜第３実施形態に係る電子商取引システム１では上記のコメント投稿機能がサーバ１０（コメント投稿支援装置）によって実現される。このコメント投稿機能によれば、ユーザは他のユーザに共同購入を促すことができるようになる。
【０１２８】
特に、上記のコメント投稿機能は入力支援機能を含んでおり、商品の共同購入状況に関するコメントが入力欄５１に自動入力される。この入力支援機能によれば、ユーザは他のユーザに共同購入を促すようなコメントを投稿し易くなる。また仮に、自動入力されたコメントのままで投稿されたとしても、そのコメントを見た他のユーザが商品の共同購入状況を把握できるようになる。また、店舗側の視点から見ると、ユーザによって投稿されるコメントが有効な広告として機能するようになるという利点がある。
【０１２９】
［変形例］
なお、本発明は以上に説明した実施の形態に限定されるものではない。
【０１３０】
（Ａ）例えば、商品画面４０では、投稿アイコン４９（画像）の代わりに、ボタン又はテキスト等の他のオブジェクトが表示されるようにしてもよい。
【０１３１】
（Ｂ）また例えば、商品の共同購入状況に関するコメントをサーバ１０がコミュニケーションサービスにおいて投稿するようにしてもよい。以下、この態様について説明する。
【０１３２】
図２２は、商品の共同購入状況に関するコメントをサーバ１０がコミュニケーションサービスにおいて投稿するための処理の一例を示すフロー図である。サーバ１０の制御部１１は図２２に示す処理をプログラムに従って実行する。このプログラムは、例えば「Ｂｏｔ」と呼ばれるプログラムとして実現される。
【０１３３】
なお、図２２に示す処理は共同購入の対象になっている各商品ごとに実行される。また、図２２に示す処理は予め定められた時点において実行される。例えば、図２２に示す処理は所定時間（例えば１時間）ごとに実行される。または、図２２に示す処理は予め定められた時刻になった場合に実行される。
【０１３４】
図２２に示すように、制御部１１は商品の共同購入状況が所定の状況であるか否かを判定する（Ｓ４０１）。「商品の共同購入状況が所定の状況である場合」とは、例えば、販売期間の終了時点までの残り時間が基準時間（例えば３時間）以下であり、かつ、商品の単価が最低価格に達していない場合である。
【０１３５】
または、「商品の共同購入状況が所定の状況である場合」とは、例えば、販売期間の終了時点までの残り時間が基準時間（例えば３時間）以下であり、かつ、商品の購入数が基準数未満である場合としてもよい。この場合の「基準数」は、例えば、商品の単価が最低価格となるような購入数の下限とすればよい。例えば、図１２に示すように商品の単価が設定されている場合には「２０１」を基準数として用いるようにすればよい。
【０１３６】
商品の共同購入状況が所定の状況であると判定された場合、制御部１１はその商品の共同購入状況に関するコメントを生成する（Ｓ４０２）。この処理は図１５のステップＳ１０２及びＳ１０３の処理と同様とすればよい。
【０１３７】
そして、制御部１１は、ステップＳ４０２で生成されたコメントをコミュニケーションサービスにおいて投稿する（Ｓ４０３）。制御部１１は仮想商店街のアカウントでコミュニケーションサービスにログインして、ステップＳ４０２で生成されたコメントを投稿する。一方、ステップＳ４０１で商品の共同購入状況が所定の状況でないと判定された場合、ステップＳ４０２，Ｓ４０３の処理を実行することなく、本処理は終了する。
【０１３８】
以上のようにすれば、商品に関するコメントを商品の共同購入状況に応じて投稿できるようになる。例えば、商品が順調に売れておらず、商品の購入数が少ない場合にはコメントの投稿が行われ、商品の共同購入が促されるようになる。一方、商品が順調に売れていて、商品の購入数が多い（すなわち、商品の残り数が少ない）場合にはコメントの投稿が行われないようになる。このような場合にもコメントの投稿を行ってしまうと、例えば、「コメントを見たユーザが商品に興味を持ったとしても、売り切れによって商品を購入できない」というような不都合な事態が生じてしまうおそれがあるが、以上のようにすれば、このような不都合の発生を回避できるようになる。すなわち、商品の共同購入を促すようなコメントの投稿を効果的に行うことができるようになる。
【０１３９】
（Ｃ）電子商取引システム１では、衣服や食品等の物だけでなく、例えば電子書籍データ、音楽データ、又は映像データ等のデータを商品として販売するようにしてもよい。
【０１４０】
また、電子商取引システム１では、商品だけでなく、サービスも商品と同様にして販売するようにしてもよい。例えば、飲食店や宿泊施設等でのサービスを受けるためのクーポンを電子商取引システム１で販売するようにしてもよい。また、サービス（クーポン）も共同購入型の販売方法で販売するようにしてもよい。さらに、商品と同様に、サービスの共同購入を促すようなコメントの投稿支援等を行うようにしてもよい。
【符号の説明】
【０１４１】
１  電子商取引システム、２  通信ネットワーク、４  店舗端末、６  コミュニケーションサービスサーバ、１０  サーバ、１１，２１  制御部、１２，２２  主記憶部、１３，２３  補助記憶部、１４，２４  光ディスクドライブ部、１５，２５  通信インタフェース、１６  データベース、２０  ユーザ端末、２６  入力部、２７  表示部、３０  トップ画面、４０  商品画面、４９  投稿アイコン、５０  投稿画面、５１  入力欄、５２  投稿ボタン、６０  記憶部、６１  購入状況情報取得部、６２，６２ａ  コメント情報生成部、６３，６３ａ  送信部。
【図１】
2012093806.tif 000003
【図２】
2012093806.tif 000004
【図３】
2012093806.tif 000005
【図４】
2012093806.tif 000006
【図５】
2012093806.tif 000007
【図６】
2012093806.tif 000008
【図７】
2012093806.tif 000009
【図８】
2012093806.tif 000010
【図９】
2012093806.tif 000011
【図１０】
2012093806.tif 000012
【図１１】
2012093806.tif 000013
【図１２】
2012093806.tif 000014
【図１３】
2012093806.tif 000015
【図１４】
2012093806.tif 000016
【図１５】
2012093806.tif 000017
【図１６】
2012093806.tif 000018
【図１７】
2012093806.tif 000019
【図１８】
2012093806.tif 000020
【図１９】
2012093806.tif 000021
【図２０】
2012093806.tif 000022
【図２１】
2012093806.tif 000023
【図２２】
2012093806.tif 000024